(57)【要約】【課題】運転途中でのユーザの切り替えを確実に行ない、その記録を確実に残すことが可能な遠心機を提供する。【解決手段】試料を収容するためのロータと、ロータを回転させる駆動部と、駆動部の制御を行なう制御部と、ユーザインターフェイスたる操作パネルとを備え、操作パネルに、遠心機の操作を開始するためのログイン画面と、遠心機が第一のユーザによって使用されているときに第二のユーザに切り替えを行なうためのユーザ切り替え画面５００を設け、ユーザ切り替え画面５００によって第一のユーザから第二のユーザへ切り替えられた場合の操作記録を記録する構成である。【選択図】図５
2013252491.tif 000002
【特許請求の範囲】
【請求項１】
試料を収容するためのロータと、該ロータを回転させる駆動部と、該駆動部の制御を行なう制御部と、ユーザインターフェイスたる操作部と、少なくとも前記ロータの回転状況を記録する記録部とを備えた遠心機において、
前記操作部に、操作開始時に第一のユーザ情報を入力するためのログイン画面と、前記ログイン画面に入力された前記第一のユーザ情報と異なる第二のユーザ情報を入力可能とするユーザ切り替え画面を設け、前記記録部は、前記ロータの回転速度と共に、前記第一のユーザ情報、前記第二のユーザ情報及び該ユーザ情報の切り替え時期を記録することを特徴とする遠心機。
【請求項２】
前記操作部には、該遠心機の回転速度、運転時間、温度を含む運転パラメータを設定する操作画面を備え、前記ユーザ情報の切り替え後は前記運転パラメータの変更をできないようにしたことを特徴とする請求項１に記載の遠心機。
【請求項３】
前記記録部は、前記駆動部の回転開始から回転終了迄の期間に渡って、所定のサンプリング期間毎に、前記ロータの回転速度と共に前記ユーザ情報を記録することを特徴とする請求項１又は２に記載の遠心機。
【請求項４】
前記ユーザ切り替え画面は、前記ログイン画面に入力された前記第一のユーザ情報及び前記第一のユーザ情報に対応するパスワードの入力を促すと共に、前記第二のユーザ情報及び前記第二のユーザ情報に対応するパスワードの入力を促し、夫々の前記ユーザ情報及び前記パスワードが合致すると、前記記録部が前記第二のユーザ情報を記録可能となることを特徴とする請求項１乃至３のいずれか１項に記載の遠心機。
【発明の詳細な説明】
【技術分野】
【０００１】
本発明は、遠心機に係り、とくに運転中のユーザ（オペーレータ）の切り替えに関する。
【背景技術】
【０００２】
遠心力を利用して各種処理を行う遠心機の一種として、試料を連続的に流して液体試料中の粒子をロータ内で遠心分離する連続遠心分離機がある。連続遠心分離機は、通常の重力場では沈降しない、もしくは沈降しにくい粒子を分離するために広く用いられ、例えば、薬品やワクチンなどの分離精製する設備として広く使用されている。
【０００３】
医薬品の生産設備として使用される連続遠心分離機は、運転記録を管理することが必須とされており、連続遠心分離機の「ユーザ」も運転記録の一つとして管理される。
【０００４】
下記特許文献１や特許文献２に示されるように、遠心分離機のユーザの認証を行なうための認証方法が提案されている。
【先行技術文献】
【特許文献】
【０００５】
【特許文献１】特開２００７−１３０６０９号公報
【特許文献２】特開２００１−１０４８３５号公報
【０００６】
但し、特許文献１及び特許文献２共にユーザの切り替えに関しては具体的に考察していない。
【発明の概要】
【発明が解決しようとする課題】
【０００７】
連続遠心分離機の運用方法として、１回の運転で１０時間から１２時間程度の長時間の運転を行なう場合がある。そのため、第一のユーザによって連続遠心分離機の運転が開始され、所定時間経過後に第一のユーザとは別の第二のユーザによって運転が停止されるということも十分にあり得ることである。
【０００８】
このような場合、運転の途中でユーザが変更になっているので、連続遠心分離機の運転記録としてその記録を確実に残す必要がある。
【０００９】
また、連続遠心分離機の運転開始や運転停止などの操作を行なう時に、ユーザが都度ログインおよびログアウト操作を行なうということも常識的に考えられることであるが、このような方法を行なった場合、連続遠心分離機の運転中に実際にはユーザがいるにも関わらず、運転記録としてはユーザが存在しない状況ができてしまう。
【００１０】
さらに、第一のユーザが連続遠心分離機の運転パラメータを設定して運転を開始したあと、第二のユーザによってその運転パラメータを変更されることを避けるようにするべきである。
【００１１】
本発明はこうした状況を認識してなされたものであり、その目的は、運転途中でのユーザの切り替えを確実に行ない、その記録を確実に残すことが可能な遠心機を提供することにある。
【課題を解決するための手段】
【００１２】
本発明のある態様は遠心機である。この遠心機は、試料を収容するためのロータと、該ロータを回転させる駆動部と、該駆動部の制御を行なう制御部と、ユーザインターフェイスたる操作部と、少なくとも前記ロータの回転状況を記録する記録部とを備えた構成において、
前記操作部に、操作開始時に第一のユーザ情報を入力するためのログイン画面と、前記ログイン画面に入力された前記第一のユーザ情報と異なる第二のユーザ情報を入力可能とするユーザ切り替え画面を設け、前記記録部は、前記ロータの回転速度と共に、前記第一のユーザ情報、前記第二のユーザ情報及び該ユーザ情報の切り替え時期を記録することを特徴とする。
【００１３】
前記態様において、前記操作部には、該遠心機の回転速度、運転時間、温度を含む運転パラメータを設定する操作画面を備え、前記ユーザ情報の切り替え後は前記運転パラメータの変更をできないようにするとよい。
【００１４】
前記態様において、前記記録部は、前記駆動部の回転開始から回転終了迄の期間に渡って、所定のサンプリング期間毎に、前記ロータの回転速度と共に前記ユーザ情報を記録するとよい。
【００１５】
前記態様において、前記ユーザ切り替え画面は、前記ログイン画面に入力された前記第一のユーザ情報及び前記第一のユーザ情報に対応するパスワードの入力を促すと共に、前記第二のユーザ情報及び前記第二のユーザ情報に対応するパスワードの入力を促し、夫々の前記ユーザ情報及び前記パスワードが合致すると、前記記録部が前記第二のユーザ情報を記録可能となる構成であるとよい。
【００１６】
なお、以上の構成要素の任意の組合せ、本発明の表現を方法やシステムなどの間で変換したものもまた、本発明の態様として有効である。
【発明の効果】
【００１７】
本発明によれば、遠心機の運転途中でのユーザの切り替えを確実に行ない、その記録を確実に残すことができる。
【図面の簡単な説明】
【００１８】
【図１】本発明に係る遠心機の実施の形態であって、連続遠心分離機を示す斜視図である。
【図２】連続遠心分離機における遠心分離部の断面図である。
【図３】運転フローチャートである。
【図４】ログイン画面を示す説明図である。
【図５】ユーザ切り替え画面を示す説明図である。
【図６】監査証跡記録の一例を示す説明図である。
【図７】運転記録の一例を示す説明図である。
【発明を実施するための形態】
【００１９】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２０】
図１は、本発明の実施形態による遠心機としての連続遠心分離機１の全体を示す斜視図であり、図２は遠心分離部１００の断面図であり、図３は運転フローチャート、図４はログイン画面、図５はユーザ切り替え画面である。
【００２１】
図１において、本実施形態に係る連続遠心分離機１は、遠心分離部１００と制御装置部２００とで構成され、遠心分離部１００と制御装置部２００の間が配線・配管群５０で接続される。
【００２２】
遠心分離部１００は、遠心室となる円筒状のチャンバ１０１と、チャンバ１０１を支持するベース１０２と、チャンバ１０１の内部に出し入れ自由に収容されて高速回転するロータ１０３と、チャンバ１０１の上部に配置されてロータ１０３を吊り下げた状態でこれを回転駆動する駆動部１０４と、チャンバ１０１の下部に取り付けられ下部軸受部等で構成される下部回転支持部１０５と、前記駆動部１０４を上下および前後方向に移動させるためのリフト１０６を有する。ロータ１０３の軸方向上下には、内部に貫通穴を有する２本の回転軸たるアッパーシャフト１４１とロアシャフト１５１が設けられる。
【００２３】
制御装置部２００は、駆動部１０４の回転制御などを行なう制御部２０１や、ロータ１０３を冷却するための冷却手段などを有する。制御装置部２００の上部には、ユーザインターフェイスたる操作部として操作パネル２０５が設けられる。操作パネル２０５は、制御部２０１に電気的に接続されており、運転パラメータを設定する操作画面を備え、運転パラメータの指示入力や、運転状態などを表示する機能を有し、例えばタッチパネル式の液晶ディスプレイであっても良い。さらに、操作パネル２０５は図４のログイン画面や図５のユーザ切り替え画面を備え（表示可能で）、かつそれら画面に対してユーザ情報等の入力操作が可能である。
【００２４】
図２は遠心分離部１００の構成の詳細を示す断面図であり、遠心分離部１００は、液体試料が貯蔵された試料タンク１１０と、試料タンク１１０に保有された液体試料を遠心機本体へ注入するための試料供給ポンプ１１１と、連続遠心分離によって駆動部１０４を経由して排出された上澄み液を回収するための試料回収タンク１１２を有する試料循環手段を有する。さらに、遠心分離部１００は、チャンバ１０１と、チャンバ１０１を保持するベース１０２と、駆動部１０４と、下部回転支持部１０５を有する。ベース１０２は、図示せぬ床にボルト１０７によって固定される。ベース１０２の上部中心付近には、回転支持穴が形成され、下部回転支持部１０５がベース１０２に取り付けられるようになっている。
【００２５】
試料タンク１１０に入れられた液体試料は、試料供給ポンプ１１１によって下部回転支持部１０５からロアシャフト１５１を経由してロータ１０３の内部に導入され、高速回転するロータ１０３によって遠心分離され、遠心分離によって半径方向の内側に貯まった上澄み液がアッパーシャフト１４１を経由して駆動部１０４内を通過し、試料回収タンク１１２へと回収される。試料供給ポンプ１１１は、図示しない信号線により後述する制御部２０１に接続され、制御部２０１によりその供給が制御される。
【００２６】
ロータ１０３は、円筒型のロータボディ１３１と、ロータボディ１３１の上下にねじ込み式で取り付けられる上下のロータカバー１３２ａ、１３２ｂを有する。ここで、上下のロータカバー１３２ａ、１３２ｂの軸中心には試料通過穴がそれぞれ形成される。ロータカバー１３２ａは駆動部１０４のアッパーシャフト１４１が取り付けられる構造であり、ロータカバー１３２ｂは下部回転支持部１０５のロアシャフト１５１が取り付けられる構造である。駆動部１０４に含まれるモータの駆動によってアッパーシャフト１４１が高速回転され、アッパーシャフト１４１に取り付けられるロータ１０３と、ロータ１０３に取り付けられるロアシャフト１５１が共に高速回転する。
【００２７】
次に、図３を用いて連続遠心分離機１の標準的な運転フローを説明する。なお、実際の運転作業においては必要となるロータ１０３の組み立てやロータ１０３の駆動部１０４への取り付け、チャンバ１０１への組み込み、試料供給ポンプ１１１によるロータ１０３への試料送液といったハード的な作業については割愛する。また、連続遠心分離機１を使用することができるユーザの情報は、予め制御部２０１内のメモリ等からなる不図示の記憶部に登録してあるものとし、その登録方法についても説明を割愛する。
【００２８】
まず連続遠心分離機１の電源をＯＮ（３０１）すると、操作パネル２０５に図４のログイン画面を表示する（３０２）。ユーザは後述する手順でログイン操作を行ない、ユーザとして登録される（３０３）。
【００２９】
次に、ユーザは操作パネル２０５の操作により、連続遠心分離機１の回転速度や運転時間、ロータ温度などのパラメータ設定（３０４）を行ない、さらにロータ１０３の回転を開始すべく運転スタート操作を実施する（３０５）。
【００３０】
次に、ロータ１０３が所定の回転速度に到達した後は、所定の運転が終了するまで分離する試料を試料供給ポンプ１１１によりロータ１０３へ送液を続け、運転終了の判断を待つ（３０６）。連続遠心分離機１の運転時間は１０時間から１２時間にも及ぶ場合があり、途中でユーザの切り替えを行なう場合が想定される（３０７）。ユーザ切り替えが行なわれる場合（ステップ３０７でＹ（ＹＥＳ）が選択された場合、つまりユーザ切り替えが選択された場合）は、図５に示すユーザ切り替え画面により元のユーザと新しいユーザ（作業を引き継ぐユーザ）の双方の認証によって切り替えを行なう（３０８）。
【００３１】
当然ながら、連続遠心分離機１の１回の運転の間にユーザが複数回切り替えられることも想定され、その場合は、その都度ユーザ切り替えを行なう。
【００３２】
運転が終了した後は、現在登録されているユーザの操作によって停止処理が行なわれ（３０９）、連続遠心分離機１のすべての作業が終了した後、現在登録されているユーザによってログオフ操作がなされ（３１０）、続いて電源をＯＦＦして（３１１）、すべての操作を終了する。
【００３３】
次に、ログイン画面４００について図４を用いて説明する。ログイン画面４００は連続遠心分離機１の電源をＯＮした後、操作パネル２０５に最初に表示される画面である。
【００３４】
ユーザは、ユーザＩＤ入力欄４０１およびパスワード入力欄４０２の入力欄にタッチし、予め登録されているユーザＩＤとパスワードを入力してログインを行ない、ユーザ情報が正しく入力されたときに操作パネル２０５に運転操作画面（図示せず）を表示し、連続遠心分離機１の運転操作を可能とする。
【００３５】
次に、ユーザ切り替え画面５００について図５を用いて説明する。ユーザ切り替え画面５００は連続遠心分離機１の運転中に、現在のユーザから新しい別のユーザに切り替えるときに使用する画面である。
【００３６】
ユーザ切り替え画面５００は、一つの画面で構成され、左側に現在ログイン中のユーザの入力欄５１０、右側に新しいユーザの入力欄５２０を設けた。さらに画面下部にユーザ切り替えを行なうべく設けられたＯＫボタン５３１と、ユーザ切り替えを行なわない場合のためのキャンセルボタン５３２を設けた。現在のユーザの入力欄５１０は、前記ログイン画面に入力された現在のユーザ情報及びこのユーザ情報に対応するパスワードの入力を促すものであり、新しいユーザの入力欄５２０は新しいユーザ情報及びこの新しいユーザ情報に対応するパスワードの入力を促すものである。
【００３７】
ユーザ切り替えを行なう際は、まず現在のユーザが自身のユーザＩＤおよびパスワードをユーザＩＤ入力欄５１１とパスワード入力欄５１２に入力する。次に、新しいユーザが自身のユーザＩＤおよびパスワードをユーザＩＤ入力欄５２１とパスワード入力欄５２２に入力する。
【００３８】
現在ログイン中のユーザの入力欄５１０、新しいユーザの入力欄５２０の入力がすべて完了した後、ユーザ切り替え画面５００に設けられたＯＫボタン５３１にタッチすると、夫々の前記ユーザ情報及び前記パスワードが、予め登録された連続遠心分離機１を使用可能なユーザの情報に合致したことを条件として、新しいユーザへの切り替えが行われる。そして、新しいユーザに切り替えられたこと及び、操作記録が、制御部２０１によって不図示の記憶部に記憶され、運転画面に移行する（第一のユーザによる認証と、前記第二のユーザによる認証が行われたことになる）。ユーザ切り替え画面５００を立ち上げたものの、ユーザ切り替えを行なわない場合は、キャンセルボタン５３２にタッチすると元のユーザのまま運転操作画面に遷移する。
【００３９】
さらに、連続遠心分離機１の操作記録を監査証跡として残す機能を備え、監査証跡機能には、少なくとも日時、操作内容、ユーザの情報が含まれる。ユーザ切り替えが行なわれた場合もその記録を残すようにする。操作パネル２０５と制御部２０１とは電気的に接続されており、操作パネル２０５の各操作は制御部２０１により不図示の記録部で記憶され、操作記録は必要なときに操作パネル２０５で表示可能である。
【００４０】
図６に監査証跡記録の一例６００を示す。ユーザ名「ＡＡＡＡ」によってログイン操作６０１および運転記録開始操作６０２が行なわれ、ユーザ切り替え６０３でユーザ名「ＢＢＢＢ」に切り替えられ、ユーザ名「ＢＢＢＢ」によって運転記録停止６０４とログオフ６０５の操作が行なわれたこと及び各操作時期を示している。図６の監査証跡記録は操作パネル２０５の操作記録などに基づき制御部２０１で作成され、操作パネル２０５で表示可能である。
【００４１】
図７に運転記録の一例７００を示す。主に連続遠心分離機１の操作の記録を残すことを目的とする監査証跡記録６００に対し、運転記録７００は連続遠心分離機１の加減速を含む１回の運転記録における運転パラメータを記録するものである。例えば、制御部２０１により不図示の記録部で、前記駆動部の回転開始から回転終了迄の期間に渡って、所定のサンプリング期間毎に、ロータの回転速度等を含む前記運転パラメータと共に前記ユーザ情報を記録する。
【００４２】
ユーザＡＡＡＡによって運転記録が開始され（７０１）、徐々に加速（７０２〜７０４）、あらかじめ設定された回転速度（例として４０，０００ｍｉｎ−１）に到達して整定（７０５〜７０６）されたことを示す。
【００４３】
３時間１６分後にユーザがＡＡＡＡからＢＢＢＢに切り替えられ（７０７）、それ以降の整定状態（７０８）から減速開始（７０９）、減速中（７１０）、運転記録停止（７１１）に至るまでのユーザはＢＢＢＢであることを記録として残している。図７の運転記録は操作パネル２０５の操作記録や運転パラメータの測定値などに基づき制御部２０１で作成され、操作パネル２０５で表示可能である。
【００４４】
次に、ユーザ切り替えが行なわれた場合の連続遠心分離機１について説明する。連続遠心分離機１は、運転を開始した時点でのユーザによって運転パラメータが設定されており、原則的に途中で切り替わったユーザが運転パラメータを変更することは考えられない。そのため、ユーザ切り替えが行なわれた場合、新しいユーザに対しては運転パラメータの変更を行なえないよう制限するようにした（つまり、二人目以降のユーザに対しては運転パラメータの設定画面が操作パネル２０５に表示されないようにしている。）。
【００４５】
本実施の形態によれば、下記の効果を奏することができる。
【００４６】
(1) 連続遠心分離機１の運転途中でのユーザの切り替えを確実に行ない、その記録を確実に残すことができる。
【００４７】
(2) 図５のユーザ切り替え画面は、第一のユーザによる認証と、第二のユーザによる認証を必要とするから、第一のユーザから第二のユーザへの切り替えが確実に行われることになり、ユーザが不明な運転期間が存在することはない。
【００４８】
(3) 操作パネル２０５は、該遠心機の回転速度、運転時間、温度を含む運転パラメータを設定する操作画面を備えるが、第二のユーザは、第一のユーザによって設定された運転パラメータの変更をできない設定としたので、最初のユーザの意図に反して途中で運転パラメータが変更されてしまう不都合を防止できる。
【００４９】
(4) 制御部２０１はユーザ切替えが選択された場合は操作パネル２０５に、現在のユーザと作業を引き継ぐ新しいユーザのＩＤとパスワードを入力するための画面を同時に表示するため、現在のユーザと新しいユーザの双方が合意したうえで、ユーザを変更することができるので、新しいユーザに勝手に切替えることができないようにすることができる。
【００５０】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５１】
上記実施の形態では、第二のユーザは、第一のユーザによって設定されたパラメータの変更をできない設定としたが、ユーザの権限レベルを低い順に「一般ユーザ」「指導員」「管理者」のように分け、ユーザ切り替えを行なう際に、現在のユーザより権限レベルが高いユーザに切り替えが行なわれる場合には、新しいユーザは運転パラメータの再設定を行なえるようにしてもよい。
【００５２】
また、ユーザ切り替え画面は、現在のユーザと新しいユーザの入力画面を１画面で例示しているが、現在のユーザと新しいユーザの入力画面を別々に表示されるようにしても良く、例えば、ユーザ切り替えが選択された場合には、最初に現在のユーザのＩＤとパスワードを入力する画面を表示して、現在のユーザによる入力が完了したら、次に、新しいユーザのＩＤとパスワードを入力する画面を表示し、新しいユーザによる入力が完了したら、ユーザ切り替えが完了するようにしても良い。
【００５３】
新しいユーザに切り替えられたことが、制御部２０１の不図示の記憶部に記憶されるとしたが、遠心機と通信可能な外部の記憶装置（記憶部）に記憶されても良い。
【符号の説明】
【００５４】
１  連続遠心分離機
５０  配管群
１００  遠心分離部
１０１  チャンバ
１０２  ベース
１０３  ロータ
１０４  駆動部
１０５  下部回転支持部
１０６  リフト
１１０  試料タンク
１１１  試料供給ポンプ
１１２  試料回収タンク
１３１  ロータボディ
１３２ａ，１３２ｂ  ロータカバー
１４１  アッパーシャフト
１５１  ロアシャフト
２００  制御装置部
２０１  制御部
２０５  操作パネル
３００  運転フロー
４００  ログイン画面
５００  ユーザ切り替え画面
６００  監査証跡記録
７００  運転記録
【図１】
2013252491.tif 000003
【図２】
2013252491.tif 000004
【図３】
2013252491.tif 000005
【図４】
2013252491.tif 000006
【図５】
2013252491.tif 000007
【図６】
2013252491.tif 000008
【図７】
2013252491.tif 000009